(57)【要約】【課題】センサにより読み取られる指の指紋及び血管のような、被写体の複数の部分に関する全体画像の精度を高めつつ、装置の小型化を図る。【解決手段】被写体の第１の部分を撮像する第１の撮像装置が、第１の部分の全体画像を撮像した後（S3）、移動する被写体を連続的に撮像する（S5a）。このとき、被写体の第２の部分を撮像する第２の撮像装置が、移動する被写体を連続的に撮像する（S5b）。その後、画像処理装置が、被写体の第１の部分に関し得られた連続的な画像の相関から被写体の移動変化量を求め（S6）、求めた移動変化量に基づいて、被写体の第２の部分に関し得られた連続的な画像から第２の部分の全体画像を形成する（S7）。【選択図】図３
2008065600.tif 000002
【特許請求の範囲】
【請求項１】
被写体の第１の部分を撮像する第１の撮像装置と、前記被写体の第１の部分と異なる部位である第２の部分を撮像する第２の撮像装置と、前記第１および第２の両撮像装置に接続された画像処理装置と、を備え、
前記第１の撮像装置は、被写体の第１の部分の全体画像および部分画像を撮像し、
前記第２の撮像装置は、前記被写体の第２の部分の部分画像を撮像し、
前記画像処理装置は、移動する被写体を前記第１の撮像装置が連続的に撮像することにより得られた複数の部分画像の相関から前記被写体の移動変化量を求める手段と、前記移動する被写体を前記第２の撮像装置が連続的に撮像することにより得られた複数の部分画像から前記第２の部分の全体画像を前記移動変化量に基づいて形成する手段と、
を有することを特徴とする情報処理装置。
【請求項２】
前記画像処理装置は、移動する被写体に関し形成した前記第２の部分の全体画像と前記被写体を前記第１の撮像装置が撮像することにより得られた前記第１の部分の全体画像とを用いて前記被写体に関する認証処理を実行する手段を有することを特徴とする請求項１記載の情報処理装置。
【請求項３】
前記第１の撮像装置は、連続的に撮像すべき前記移動する被写体を前記センサの部分領域により撮像することを特徴とする請求項１又は２記載の情報処理装置。
【請求項４】
前記被写体が生体であることを特徴とする請求項１乃至３のいずれか１項に記載の情報処理装置。
【請求項５】
前記被写体の前記第１の部分が指紋であり且つ前記第２の部分が血管であることを特徴とする請求項４記載の情報処理装置。
【請求項６】
被写体の第１の部分を撮像する第１の撮像装置が、前記被写体の第１の部分の全体画像を撮像し、
移動する前記被写体の部分画像を、前記第１の撮像装置が連続的に撮像し、且つ、被写体の第１の部分と異なる部位である第２の部分を撮像する第２の撮像装置が連続的に撮像し、
前記第１および第２の両撮像装置に接続された画像処理装置が、移動する前記被写体に関し前記第１の撮像装置により得られた複数の部分画像の相関から前記被写体の移動変化量を求め、移動する前記被写体に関し前記第２の撮像装置により得られた複数の部分画像から前記第２の部分の全体画像を前記移動変化量に基づいて形成し、前記被写体の第１の部分および第２の部分の各全体画像を認識することを特徴とする情報処理方法。
【請求項７】
前記画像処理装置が、さらに、前記被写体の第１の部分および第２の部分に関し認識した各全体画像を用いて前記被写体に関する認証処理を実行することを特徴とする請求項６記載の情報処理方法。
【請求項８】
前記第１の撮像装置が、連続的に撮像する前記移動する被写体を前記センサの部分領域により撮像することを特徴とする請求項６又は７記載の情報処理方法。
【請求項９】
前記被写体が生体であることを特徴とする請求項６乃至８のいずれか１項に記載の情報処理方法。
【請求項１０】
前記被写体の第１の部分が指紋であり且つ第２の部分が血管であることを特徴とする請求項９記載の情報処理方法。
【発明の詳細な説明】
【技術分野】
【０００１】
本発明は、情報処理装置および情報処理方法に関し、特に、複数の撮像装置により共通の被写体から読み取られた画像を処理する技術に関する。
【背景技術】
【０００２】
近年、建物への入退室管理や電子データへのアクセス管理等において、生体情報を用いた認証技術が使われている。生体認証は、物理的な鍵やパスワードのように紛失あるいは失念の心配がなく、個人を特定するセキュリティシステムとして非常に有効である。生体認証に用いる生体情報としては、例えば指紋や指の血管（静脈）等があり、後述の特許文献１には指紋を読み取る指紋センサに関する技術が記載されている。
【０００３】
特許文献１に記載の技術は、小型の指紋センサ上で指をスイープさせる間に複数の指紋部分画像を得ることにより、指紋情報を取得するというものである。これは、指紋の認証に必要な領域の画像を一括的に読み取る２次元エリア型センサにより得られる情報と同等な情報を、指紋より小さな面積のセンサにより得る方法として有効である。
【０００４】
ところで、生体認証は、そのときどきの生体の体調や状態によって認証結果が左右されることがある。また、指紋のような生体情報であっても、人工的に偽造することも可能であるとの報告もある。よって、ある認証技術を単独で使用しただけでは認証精度やセキュリティを維持することが困難な場合がある。
【０００５】
上記の問題に鑑みて、認証精度の向上やセキュリティを強化するために、複数の種別の生体情報を用いて個人認証を行う技術が提案されている。例えば、後述の特許文献２には、指紋の情報と指血管の情報とを組み合わせて個人認証を行う技術が記載されている。
【特許文献１】特開２００３−２４２４８９号公報
【特許文献２】特開２００２−２３０５５３号公報
【発明の開示】
【発明が解決しようとする課題】
【０００６】
上記特許文献２に記載の技術のように、複数の種別の生体情報を組み合わせて認証を行う場合、装置に複数のセンサを備える必要がある。しかしながら、その場合、単一のセンサを用いる装置に比べ、装置を小型化し難いという不都合がある。また、この不都合に鑑みて、単に小規模なセンサを備えても、画像から得られる特徴情報の減少につながり、ひいては、認証精度の劣化を招き易くなる。
【０００７】
一方、上記特許文献１に記載されているようなスイープ型の指紋センサを利用することにより、センサの小型化を図りつつ指紋の特徴情報を適正に取得することができる。しかしながら、指血管の場合は、一般に、スイープ型センサにより適正な画像を得ることは困難とされている。その理由の１つには、指紋に比べて、指血管は指の長手方向に変化の少ない構造をしていることが挙げられる。すなわち、スイープ型センサにより指血管の部分画像を複数取得しても、それぞれが類似することから部分画像間の相関を判定し難く、結果、それらをつなぎ合わせることが困難となる。
【０００８】
本発明は、上記課題に鑑みてなされたものであり、センサにより読み取られる指の指紋及び血管（静脈）のような、被写体の複数の部分に関する全体画像の精度を高めつつ、装置の小型化を図る技術を提供することを目的とする。
【課題を解決するための手段】
【０００９】
本発明に係る情報処理装置は、被写体の第１の部分を撮像する第１の撮像装置と、前記被写体の第１の部分と異なる部位である第２の部分を撮像する第２の撮像装置と、前記第１および第２の両撮像装置に接続された画像処理装置と、を備え、前記第１の撮像装置は、被写体の第１の部分の全体画像および部分画像を撮像し、前記第２の撮像装置は、前記被写体の第２の部分の部分画像を撮像し、前記画像処理装置は、移動する被写体を前記第１の撮像装置が連続的に撮像することにより得られた複数の部分画像の相関から前記被写体の移動変化量を求める手段と、前記移動する被写体を前記第２の撮像装置が連続的に撮像することにより得られた複数の部分画像から前記第２の部分の全体画像を前記移動変化量に基づいて形成する手段と、を有する。
【００１０】
本発明に係る情報処理方法は、被写体の第１の部分を撮像する第１の撮像装置が、前記被写体の第１の部分の全体画像を撮像し、移動する前記被写体の部分画像を、前記第１の撮像装置が連続的に撮像し、且つ、被写体の第１の部分と異なる部位である第２の部分を撮像する第２の撮像装置が連続的に撮像し、前記第１および第２の両撮像装置に接続された画像処理装置が、移動する前記被写体に関し前記第１の撮像装置により得られた複数の部分画像の相関から前記被写体の移動変化量を求め、移動する前記被写体に関し前記第２の撮像装置により得られた複数の部分画像から前記第２の部分の全体画像を前記移動変化量に基づいて形成し、前記被写体の第１の部分および第２の部分の各全体画像を認識するという方法である。
【発明の効果】
【００１１】
本発明によれば、移動する被写体の第１の部分に関する連続的な画像から求めた移動速度を利用し、他方の第２の部分の連続的な画像を全体画像に再構成することから、第２の撮像装置のセンサが比較的小型であっても適正な全体画像を得ることができる。
【発明を実施するための最良の形態】
【００１２】
本発明の実施の形態を図面を用いて説明する。以下に説明する実施形態は、本発明を個人認証の用途に適用した場合の形態である。個人認証を試みる者の何れかの指が本発明における被写体に対応する。また、その指の指紋が被写体の第１の部分に対応し、同じ指の血管が被写体の第２の部分に対応する。指の血管としては、例えば、静脈を用いることができる。
【００１３】
本実施形態では、指紋や指血管を読み取る後述のセンサは光学式とするが、指紋や指血管の情報を取得できるものであれば、感圧式、静電容量式、感熱式、電界検出式等、他の形式のセンサであっても良い。
【００１４】
図１は、本発明に係る情報処理装置の実施形態である生体認証装置１００の構成例を示すブロック図である。認証処理装置１０１は、後述の指紋画像撮像装置１０３及び指血管画像撮像装置１０５が撮像した指紋および血管パターンと、生体情報データベース１０７に登録されている各個人の指紋および血管パターンとの比較により認証処理を行う。この認証処理装置１０１は、本発明における画像処理装置に対応する構成要素である。
【００１５】
ユーザインタフェース装置１０２は、指紋及び指血管のパターンを入力するユーザに対し、視覚的手法あるいは音声等によって操作手順を案内するための装置である。具体的には、ディスプレイ装置、操作ボタンやマウスのような入力装置、及び、マイク／スピーカ等の音声入出力装置などである。外部装置１０８は、認証処理装置１０１から出力される認証結果に応じて動作するものであり、例えば、ドアの開閉錠や、アクセス制限が設定されたPCなど、様々なものが考えられる。
【００１６】
指紋撮像装置１０３は、１回の読み取りで指紋の認証に必要な部分を撮像するのに十分な大きさを持った２次元のエリア型指紋撮像センサ２０１を有する。指紋画像撮像装置１０３は、本発明における第１の撮像装置に対応する構成要素である。指紋照明光源１０４は、エリア型指紋撮像センサ２０１が読み取る指紋に向けて光を照射するＬＥＤなどである。
【００１７】
指血管撮像装置１０５は、１次元または２次元のライン状（例えば５１２画素×８画素等、縦横の比が大きく異なる形態）のスイープ型指血管撮像センサ２０２を有する。指血管画像撮像装置１０５は、本発明における第２の撮像装置に対応する構成要素である。指血管照明光源１０６は、スイープ型指血管撮像センサ２０２が読み取る指血管に向けて光を照射するＬＥＤなどである。
【００１８】
図２に、生体認証装置１００において画像の読み取りに関連する構成部分の模式図を示す。また、図１０に、その概略的な側面図を示す。エリア型指紋撮像センサ２０１およびスイープ型指血管撮像センサ２０２は、図２に示すように、およそ指２０３の第一関節及び第二関節間に相当する間隔を空けて配置する。図示の構成は簡略的なものであるが、実際には、例えば図３に示す指血管撮像用光学レンズ２０６のような、光学的な部品等が含まれる。なお、ここに示す各センサ（２０１、２０２）と各光源（１０４、１０６）との位置関係は一例であり、必要に応じて適宜設計してよい。
【００１９】
また、図２では、エリア型指紋撮像センサ２０１のサイズが指２０３の第一関節から先より大きいサイズに示されている。しかし、指紋認証に必要な画像は必ずしも指紋全体でなく、指紋認証に必要な画像を一度で取得できる大きさであれば、エリア型指紋撮像センサ２０１は図示のサイズより小さくても良い。
【００２０】
図３に示すフローチャートに沿って、生体認証装置１００の動作を説明する。ここでは、図２及び図１０に示すように指２０３が移動方向２０４にスイープする際の生体認証装置１００の動作について説明する。
【００２１】
生体認証装置１００は、使用者からの要求（ＰＣへのアクセス時や入退室動作時）を契機に認証動作を開始する（Ｓ１）。動作開始後、指紋画像撮像装置１０３がエリア型指紋撮像センサ２０１上に指が置かれたか否かを検知する（Ｓ２）。このとき、指血管画像撮像装置１０５もスイープ型指血管撮像センサ２０２にて同様な検知動作を行うようにしてもよい。
【００２２】
指紋画像撮像装置１０３は、エリア型指紋撮像センサ２０１に指が置かれたことを検知すると、静止している指２０３から、読み取りタイミング１回分の指紋画像を読み取る（Ｓ３）。これにより、まずは指紋の全体画像を得る。全体画像の読み取りタイミングは、例えば、センサに指が置かれたことを検知した直後あるいは所定時間が経過した時点とする等、予め設定しておく。ここで得られた全体画像は、指紋による認証処理に利用される（Ｓ８）。
【００２３】
指紋の全体画像を取得すると、生体認証装置１００は、ユーザインタフェース装置１０２により、使用者に対し「ゆっくり指を引いて下さい」等のメッセージを発することで、使用者に指２０３のスイープを促す（Ｓ４）。
【００２４】
上記メッセージが発せられた後、指紋撮像装置１０３は、エリア型指紋撮像センサ２０１により、一定間隔を置いた２回の読み取りタイミングにて画像を読み取る（Ｓ５ａ）。これにより、スイープ中の指についての２つの指紋画像が得られる。２つの画像を読み取るタイミングは、例えば、使用者に指のスイープを促した直後に発生する、連続する２回のタイミングとするなど、予め設定しておく。
【００２５】
指紋画像撮像装置１０３が指紋を読み取る間、指血管画像撮像装置１０５は、スイープ型指血管撮像センサ２０２により、スイープする指２０３の血管（静脈）の部分画像を連続的に読み取る。これにより、指血管に関する複数の部分画像を得る（Ｓ５ｂ）。
【００２６】
図４に、指紋画像撮像装置１０３により得られる２つの画像を模式的に示す。認証処理装置１０１は、１枚目の画像４０１と、これに続く２枚目の画像４０２とから、両者間で同等な画像部分４０３を検出する。ここで、図４より、１枚目の画像４０１および２枚目の画像４０２における同等な画像部分４０３の間隔は、指の移動距離に相当する。認証処理装置１０１は、この移動距離を撮像の時間間隔で除算することにより、指の移動変化量としての移動速度を算出する（Ｓ６）。
【００２７】
なお、撮像の時間間隔としては、上記の移動速度の算出を考慮して、２枚目の画像４０２に指紋の一部を残すことができるような時間間隔を設定する。この時間間隔が極端に短いと十分な移動距離（図４）が得られない。また、時間間隔が極端に長いと、２枚目の画像４０２に指紋部分が写らず、結果、移動距離を算出できないおそれがある。したがって、より好適には、図４に示すように、指紋のほぼ全体が写る１枚目の画像４０１に対し、２枚目の画像４０２には指先の指紋部分が写る程度に、撮像の時間間隔を設定することが望ましい。これにより、指の移動速度を適正に算出することができる。
【００２８】
指２０３のスイープが完了すると、認証処理装置１０１は、スイープ型指血管撮像センサ２０２により連続的に読み取られた指血管の部分画像を、前述の計算により得た移動速度に基づき再構成する（Ｓ７）。これにより、指血管の全体画像が形成される。
【００２９】
認証処理装置１０１は、指紋の全体画像（Ｓ３）及び指血管の全体画像（Ｓ７）から得られる特徴情報と、生体情報データベース１０７に登録されているデータとを比較し、認証の可否を判定する（Ｓ８）。そして、その認証結果をドアの開閉システムやＰＣ等の外部装置２０８へ通知する（Ｓ９）。
【００３０】
このように、上記実施形態は、スイープする指の指紋を連続的に撮像して得た２枚の指紋画像から指の移動速度を求め、それを指血管の部分画像の再構成に利用する。一般に、指血管は、指の長手方向に変化の少ない構造であることから、指血管をスイープ型センサで読み取った場合は、前後の部分画像の相関を判別し難く、全体画像を形成することが困難である。これに対し、本実施形態によれば、スイープ型センサ（２０２）により読み取った指血管の部分画像であっても、別途算出した指の移動速度を利用して、指血管の全体画像を円滑に再構成することができる。
【００３１】
上記実施形態では、指の移動速度を求める際に、スイープする指の２つの指紋画像（図４）の相関を用いたが、相関をみる画像は２つに限らず、３つ以上であってもよい。その場合、指紋の撮像周期は、図４に示すものより短く設定する。
【００３２】
３つ以上の指紋画像の相関を用いる場合、細かな速度変化に対処するために、エリア型指紋撮像センサ２０１の撮像周期は、スイープ型指血管撮像センサ２０２と同程度の周期とすることが望ましい。その場合、エリア型指紋撮像センサ２０１の高速動作を実現し易くするために、全体画像の読み取り後は撮像エリアを縮小させてもよい。より具体的には、エリア型指紋撮像センサ２０１のエリア全体で指紋の全体画像を読み取った後、図２に示す指紋部分画像撮像部２０５のみを稼動させる。そして、この指紋部分画像撮像部２０５により、相関をみる画像を連続的に読み取る。
【００３３】
指紋部分画像撮像部２０５は、図２に示すように、エリア型指紋撮像センサ２０１の領域中、指の根元に近い側にあることが望ましい。これにより、指２０３がスイープする間、より長い時間、指紋の画像を撮ることができる。
【００３４】
指紋部分画像撮像部２０５を用いる場合の動作手順について、図５に示すフローチャートを参照して説明する。なお、生体認証装置１００の起動後、指紋の全体画像の撮像を経て、使用者に指のスイープを促すまでの手順（Ｓ１１〜Ｓ１４）は、図３に沿って説明した手順と同様であり、説明を省略する。
【００３５】
指紋画像撮像装置１０３は、指紋の全体画像を読み取り後（Ｓ１３）、エリア型指紋撮像センサ２０１を部分駆動に切り換え、指紋部分画像撮像部２０５のみを有効とする。この切り換えのタイミングは、例えば、全体画像の読み取り（Ｓ１３）を終えた直後、あるいは、使用者に対するメッセージ（Ｓ１４）が出された直後等、予め設定しておく。
【００３６】
指紋画像撮像装置１０３は、スイープ中の指の指紋を指紋部分画像撮像部２０５により連続的に読み取る（Ｓ１５ａ）。この間、指血管画像撮像装置１０５は、図３に沿って説明した前述の動作と同様にして、スイープ型指血管撮像センサ２０２により指の血管を連続的に読み取る（Ｓ１５ｂ）。
【００３７】
図６に、エリア型指紋撮像センサ２０１の指紋部分画像撮像部２０５により得られた画像の例を示す。図６より、認証処理装置１０１は、ｍ枚目の画像６０１と、これに続くｍ＋１枚目の画像６０２とにおける同等な画像部分６０３から指の移動距離を求める。そして、求めた移動距離を２つの画像（６０１、６０２）の時間間隔で除算することにより、指の移動速度を求める（Ｓ１６）。
【００３８】
上記形態において移動速度を求めるにあたっては、例えば、連続する一対の画像ごとに求めた複数の移動速度からその平均値を算出し、これを最終的な移動速度とすることができる。また、所定期間ごとに移動速度を平均化することにより、時間の推移に沿った複数の移動速度を得ることができる。さらに例えば、エリア型指紋撮像センサ２０１の指紋部分画像撮像部２０５と、スイープ型指血管撮像センサ２０２とを全く同じコマ速で動かし、単純に指紋画像の１枚ごとの移動距離に合わせることで、指血管画像をつなぎ合わせることができる。
【００３９】
図６の手順による上記形態によれば、スイープする指の速度変化にも対処することができる。
【００４０】
エリア型指紋撮像センサ２０１が、例えばＣＭＯＳセンサのように、画像データの処理順序に関し主走査方向および副走査方向といった走査方向を持つ場合は、副走査方向と指の移動方向とを同一にすることが望ましい。走査方向に関し、図７を参照して具体的に説明する。
【００４１】
図７（ａ）に、撮像エリアの全体を読み出す際のデータ処理順序を示す。ここでは、図の水平方向を主走査方向とし、その直交方向を副走査方向としている。図７の（ｂ）に、主走査方向を指の移動方向とした場合のエリア型指紋撮像センサ２０１の部分駆動時のデータ処理順序を模式的に示す。また、図７の（ｃ）に、副走査方向を指の移動方向とした場合を示す。
【００４２】
主走査方向に平行な画素の並びを行と呼び、副走査方向に平行な画素の並びを列と呼ぶ。図７の（ｂ）及び（ｃ）に示す形態において、処理するデータの量は双方で同等である。しかし、ＣＭＯＳセンサの場合、行の切り替えごとに一定の処理が必要とされることから、指紋部分画像撮像部２０５としては、副走査方向を指の移動方向とする図７（ｃ）の形態を適用することが望ましい。これにより、同図（ｂ）の形態よりも行の切り替えが少ない分、処理時間を短縮することができる。
【００４３】
図２に示す前述の実施形態は、指紋の画像をエリア型センサ（２０１）により撮像し、指血管の画像をスイープ型センサ（２０２）により撮像する形態であった。ここで、上記実施形態とは逆に、指紋の画像をスイープ型センサにより撮像し、指血管の画像をエリア型センサにより撮像する手法について説明する。図８に、その構成を模式的に示す。
【００４４】
図８に示すように、指紋を読み取るためのスイープ型指紋撮像センサ８０１と、指血管を読み取るためのエリア型指血管撮像センサ８０２とを図示の態様にて配置する。また、指紋や指血管に光を照射するための指紋照明光源１０４及び指血管照明光源１０６を、それぞれに対応するセンサの近傍に配置する。これらセンサ及び光源の配置は、図示の配置に限らず適宜変更してよい。
【００４５】
図９に示すフローチャートを参照して、図８に示す構成による動作手順を説明する。認証動作を開始後、センサに指が置かれたことを検知すると（Ｓ２１、Ｓ２２）、エリア型指血管撮像センサ８０２が、指血管の全体画像を読み取る（Ｓ２３）。指血管の全体画像を得ると、使用者に対し、指のスイープを促すメッセージを発信する（Ｓ２４）。
【００４６】
上記メッセージが発せられた後、スイープ型指紋撮像センサ８０１が、スイープする指の指紋を連続的に読み取る（Ｓ２５）。読み取られた指紋の部分画像は、指紋の部分画像の再構成に関し従来知られた手法により、全体画像に形成される（Ｓ２６）。そして、この指紋の全体画像と、先に取得した指血管の全体画像とを用いて認証処理を実行し（Ｓ２７）、その結果をドアの開閉システムのような外部装置へ通知する（Ｓ２８）。
【００４７】
図８に示す構成によれば、指紋の撮像には、一般に普及しているスイープ型センサ（８０１）を用い、指血管の撮像にはエリア型センサ（８０２）を用いることから、指の移動速度を求めて部分画像を再構成することは不要となる。よって、両センサを並列的に作動させることは不要となる。
【００４８】
以上説明した実施形態は、本発明における被写体を生体の指とし、撮像対象を指紋及び指の血管（静脈）としたものであったが、本発明の適用範囲は、それらに限定されない。被写体としては、生体以外のものであっても良い。
【図面の簡単な説明】
【００４９】
【図１】本発明の実施形態の生体認証装置の構成を示すブロック図である。
【図２】実施形態の生体認証装置における撮像に関連する部分の説明図である。
【図３】実施形態の動作手順を示すフローチャートである。
【図４】実施形態において指の移動速度を算出するために用いる指紋画像に関する説明図である。
【図５】本発明の他の実施形態の動作手順を示すフローチャートである。
【図６】他の実施形態において指の移動速度を算出するために用いる指紋画像に関する説明図である。
【図７】他の実施形態における部分駆動に関する説明図である。
【図８】複数のセンサを用いる手法の構成を説明するための説明図である。
【図９】複数のセンサを用いる手法の動作手順を示すフローチャートである。
【図１０】本発明の実施形態の生体認証装置における撮像に関連する部分の説明図である。
【符号の説明】
【００５０】
１０１  認証処理装置
１０２  ユーザインタフェース装置
１０３  指紋画像撮像装置
１０４  指紋照明光源
１０５  指血管画像撮像装置
１０６  指血管照明光源
１０７  生体情報データベース
１０８  外部装置
２０１  エリア型指紋撮像センサ
２０２  スイープ型指血管撮像センサ
２０３  指
２０４  指の移動方向
２０５  指紋部分画像撮像部
４０１  １枚目の画像
４０２  ２枚目の画像
４０３  同等な画像部分
６０１  ｍ枚目の画像
６０２  ｍ＋１枚目の画像
６０３  同等な画像部分
８０１  スイープ型指紋撮像センサ
８０２  エリア型指血管撮像センサ
【図１】
2008065600.tif 000003
【図２】
2008065600.tif 000004
【図３】
2008065600.tif 000005
【図４】
2008065600.tif 000006
【図５】
2008065600.tif 000007
【図６】
2008065600.tif 000008
【図７】
2008065600.tif 000009
【図８】
2008065600.tif 000010
【図９】
2008065600.tif 000011
【図１０】
2008065600.tif 000012